(57)【要約】【課題】追加の部品を大幅に低減させた状態で、レンズ鏡筒の開口を封止することが可能なレンズ鏡筒およびレンズ交換式カメラを提供する。【解決手段】レンズ鏡筒１０は、筒体部２０と、筒体部２０よりも小径の小径筒部５３を有すると共に、小径筒部５３の端部側に開口した鏡筒側開口部５４が存在する鏡筒側マウント部５０と、後側レンズ素子３２と後方レンズ枠４２を有し、不使用時には筒体部２０の内部が外部に対して連通しないように鏡筒側マウント部５０の内部側を閉塞する後方レンズ体４０と、後方レンズ体４０を光軸Ｌ方向に沿って移動させる駆動機構６０と、を備え、小径筒部５３の内径は後方レンズ体４０の外径よりも小さく設けられていて、鏡筒側マウント部５０のうち小径筒部５３の周囲には、後方レンズ体４０が直接的または間接的に当接する内部段差面５１が設けられている。【選択図】図１
2018185474.tif 000002
【特許請求の範囲】
【請求項１】
複数のレンズ素子から構成される撮影光学系を備えると共に、本体に対して着脱自在に取り付けられるレンズ鏡筒であって、
内部に前記撮影光学系が設けられる筒体部と、
前記筒体部と一体的に設けられ、前記筒体部よりも小径の小径筒部を有すると共に、該小径筒部の端部側に本体側に開口した鏡筒側開口部が存在する鏡筒側マウント部と、
前記複数のレンズ素子のうち前記本体側に最も近接する後側レンズ素子およびこの後側レンズ素子を保持する後方レンズ枠を有し、前記筒体部の内部に設けられると共に、不使用時には前記筒体部の内部が外部に対して連通しないように鏡筒側マウント部の内部側を閉塞する後方レンズ体と、
前記後方レンズ体を光軸方向に沿って移動させる駆動機構と、
を備え、
前記小径筒部の内径は前記後方レンズ体の外径よりも小さく設けられていて、
前記鏡筒側マウント部のうち前記小径筒部の周囲には、前記後方レンズ体が直接的または間接的に当接する内部段差面が設けられている、
ことを特徴とするレンズ鏡筒。
【請求項２】
請求項１記載のレンズ鏡筒であって、
不使用時には前記後方レンズ枠のうち前記本体側の枠後面が前記内部段差面に当接することで、前記鏡筒側マウント部の内部側を閉塞する、
ことを特徴とするレンズ鏡筒。
【請求項３】
請求項１記載のレンズ鏡筒であって、
不使用時には前記後側レンズ素子が前記内部段差面に当接することで、前記鏡筒側マウント部の内部側を閉塞する、
ことを特徴とするレンズ鏡筒。
【請求項４】
請求項１記載のレンズ鏡筒であって、
前記内部段差面には、前記本体側から離間する向きに向かって突出する封止凸部が設けられていて、
不使用時には前記後方レンズ枠のうち前記本体側の枠後面が前記封止凸部の突出側の端面である凸端面に当接することで、前記鏡筒側マウント部の内部側を閉塞する、
ことを特徴とするレンズ鏡筒。
【請求項５】
請求項１記載のレンズ鏡筒であって、
前記内部段差面には、前記本体側に向かって窪む封止凹部が設けられていて、
前記後方レンズ枠には、前記本体側に向かって突出する突出部が設けられていて、
不使用時には前記突出部が前記封止凹部に入り込むことで、前記鏡筒側マウント部の内部側を閉塞する、
ことを特徴とするレンズ鏡筒。
【請求項６】
請求項１記載のレンズ鏡筒であって、
前記内部段差面には、前記本体側に向かって窪む嵌込凹部が設けられていて、
前記嵌込凹部には、弾性部材から形成される封止部材が嵌め込まれ、
不使用時には前記後方レンズ枠のうち前記本体側の枠後面が前記封止部材に当接することで、前記鏡筒側マウント部の内部側を閉塞する、
ことを特徴とするレンズ鏡筒。
【請求項７】
請求項２記載のレンズ鏡筒であって、
前記後方レンズ枠の内径側には、前記枠後面よりも前記本体側に向かって突出する内方突出部が設けられていて、
不使用時には前記後方レンズ枠のうち前記本体側の枠後面が前記内部段差面に当接し、さらに前記内方突出部が前記小径筒部に入り込むことで、前記鏡筒側マウント部の内部側を閉塞する、
ことを特徴とするレンズ鏡筒。
【請求項８】
複数のレンズ素子から構成される撮影光学系を備えると共に、本体に対して着脱自在に取り付けられるレンズ鏡筒であって、
内部に前記撮影光学系が設けられる筒体部と、
前記筒体部と一体的に設けられ、前記筒体部よりも小径の小径筒部を有すると共に、該小径筒部の端部側に本体側に開口した鏡筒側開口部が存在する鏡筒側マウント部と、
前記複数のレンズ素子のうち前記本体側に最も近接する後側レンズ素子およびこの後側レンズ素子を保持する後方レンズ枠を有し、前記筒体部の内部に設けられる後方レンズ体と、
前記後方レンズ体を光軸方向に沿って移動させる駆動機構と、
前記駆動機構の駆動を制御する制御手段と、
を備え、
前記小径筒部の内径は前記後方レンズ体の外径よりも小さく設けられていて、
前記鏡筒側マウント部のうち前記小径筒部の周囲には、前記後方レンズ体が直接的または間接的に当接する内部段差面が設けられていて、
前記制御手段は、閉塞タイミングが到来したと判断した場合には、前記駆動機構を駆動させて前記後方レンズ体が直接的または間接的に前記内部段差面に当接させることで、前記筒体部の内部が外部に対して連通しないように鏡筒側マウント部の内部側を閉塞する、
ことを特徴とするレンズ鏡筒。
【請求項９】
請求項８記載のレンズ鏡筒であって、
前記制御手段は、
焦点合わせのために前記後方レンズ体を移動させる範囲である焦点移動範囲において前記駆動機構を駆動させると共に、
前記閉塞タイミングが到来したと判断した場合には、前記駆動機構の駆動により前記焦点移動範囲よりも前記本体側に前記後方レンズ体を移動させて前記後方レンズ体を直接的または間接的に前記内部段差面に当接させ、前記筒体部の内部が外部に対して連通しないように鏡筒側マウント部の内部側を閉塞する、
ことを特徴とするレンズ鏡筒。
【請求項１０】
請求項８または９記載のレンズ鏡筒であって、
前記制御手段は、前記本体の電源オフのタイミングを前記閉塞タイミングが到来したと判断する、
ことを特徴とするレンズ鏡筒。
【請求項１１】
請求項８から１０のいずれか１項に記載のレンズ鏡筒であって、
前記制御手段は、前記本体と前記レンズ鏡筒の間の電気的な接続が切断されたことを検知したタイミングを前記閉塞タイミングが到来したと判断する、
ことを特徴とするレンズ鏡筒。
【請求項１２】
請求項８から１１のいずれか１項に記載のレンズ鏡筒であって、
前記制御手段は、前記本体から前記レンズ鏡筒を取り外すためのリリースボタンを押下したタイミングを前記閉塞タイミングが到来したと判断する、
ことを特徴とするレンズ鏡筒。
【請求項１３】
請求項１から１２のいずれか1項に記載のレンズ鏡筒と、
前記レンズ鏡筒が着脱自在に取り付けられる本体側マウント部を備えるカメラ本体と、
を備えることを特徴とするレンズ交換式カメラ。
【発明の詳細な説明】
【技術分野】
【０００１】
本発明は、レンズ鏡筒およびレンズ交換式カメラに関する。
【背景技術】
【０００２】
被写体を撮影するレンズ交換式のカメラ（レンズ交換式カメラ）においては、複数のタイプの異なるレンズ鏡筒を、カメラ本体から交換することで、様々な撮影条件に合致した撮影を可能としている。上述のレンズ鏡筒は、複数のレンズを備える光学系を内蔵しているが、そのレンズ鏡筒をカメラ本体から外した場合に、レンズ鏡筒の内部に塵埃が侵入してしまう虞がある。この様子を、図１２に示す。
【０００３】
図１２に示すように、レンズ鏡筒１の筒体部２には、カメラ本体に装着される側に段差状のマウント部３が設けられていて、そのマウント部３には、撮影光線を透過させるための開口部４が存在している。また、筒体部２の内部には、レンズ枠５に支持されたフォーカスレンズ６が光軸方向に移動可能に設けられている。したがって、筒体部２の内部には、開口部４を介して矢示Ｐで示すように塵埃が容易に侵入することが可能となっている。
【０００４】
このような、レンズ鏡筒の内部に塵埃の侵入を防ぐための構成としては、たとえば特許文献１および特許文献２に示すものがある。特許文献１には、マウント部に塵埃が侵入するのを防止するためのキャップを被せる構成が開示されている。また、特許文献２には、レンズ鏡筒の開口部を封止するためのシャッター機構を設ける構成が開示されている。
【先行技術文献】
【特許文献】
【０００５】
【特許文献１】特開２０１３−８３７２０号公報
【特許文献２】特開２０１１−１７８０８号公報
【発明の概要】
【発明が解決しようとする課題】
【０００６】
しかしながら、特許文献１および特許文献２に開示の構成では、開口部を封止するために、キャップやシャッター機構といった別途の部材が必要となる。したがって、これらの別途の部材を必要とする分だけ部品点数が多くなり、その分だけコストが増大してしまう。また、特許文献２に開示の構成では、別途のシャッター機構を取り付ける必要がある。したがって、シャッター機構を取り付けるためのスペースが必要となり、その分だけレンズ鏡筒が大型化してしまう。
【０００７】
本発明は上記の事情にもとづきなされたもので、追加の部品を大幅に低減させた状態で、レンズ鏡筒の開口を封止することが可能なレンズ鏡筒およびレンズ交換式カメラを提供することを目的とする。
【課題を解決するための手段】
【０００８】
上記課題を解決するために、本発明の第１の観点によると、複数のレンズ素子から構成される撮影光学系を備えると共に、カメラ本体に対して着脱自在に取り付けられるレンズ鏡筒であって、内部に撮影光学系が設けられる筒体部と、筒体部と一体的に設けられ、筒体部よりも小径の小径筒部を有すると共に、該小径筒部の端部側にカメラ本体側に開口した鏡筒側開口部が存在する鏡筒側マウント部と、複数のレンズ素子のうちカメラ本体側に最も近接する後側レンズ素子およびこの後側レンズ素子を保持する後方レンズ枠を有し、筒体部の内部に設けられると共に、不使用時には筒体部の内部が外部に対して連通しないように鏡筒側マウント部の内部側を閉塞する後方レンズ体と、後方レンズ体を光軸方向に沿って移動させる駆動機構と、を備え、小径筒部の内径は後方レンズ体の外径よりも小さく設けられていて、鏡筒側マウント部のうち小径筒部の周囲には、後方レンズ体が直接的または間接的に当接する内部段差面が設けられている、ことを特徴とするレンズ鏡筒が提供される。
【０００９】
また、本発明の他の側面は、上述の発明において、不使用時には後方レンズ枠のうちカメラ本体側の枠後面が内部段差面に当接することで、鏡筒側マウント部の内部側を閉塞する、ことが好ましい。
【００１０】
さらに、本発明の他の側面は、上述の発明において、不使用時には後側レンズ素子が内部段差面に当接することで、鏡筒側マウント部の内部側を閉塞する、ことが好ましい。
【００１１】
また、本発明の他の側面は、上述の発明において、内部段差面には、カメラ本体側から離間する向きに向かって突出する封止凸部が設けられていて、不使用時には後方レンズ枠のうちカメラ本体側の枠後面が封止凸部の突出側の端面である凸端面に当接することで、鏡筒側マウント部の内部側を閉塞する、ことが好ましい。
【００１２】
さらに、本発明の他の側面は、上述の発明において、内部段差面には、カメラ本体側に向かって窪む封止凹部が設けられていて、後方レンズ枠には、カメラ本体側に向かって突出する突出部が設けられていて、不使用時には突出部が封止凹部に入り込むことで、鏡筒側マウント部の内部側を閉塞する、ことが好ましい。
【００１３】
また、本発明の他の側面は、上述の発明において、内部段差面には、カメラ本体側に向かって窪む嵌込凹部が設けられていて、嵌込凹部には、弾性部材から形成される封止部材が嵌め込まれ、不使用時には後方レンズ枠のうちカメラ本体側の枠後面が封止部材に当接することで、鏡筒側マウント部の内部側を閉塞する、ことが好ましい。
【００１４】
さらに、本発明の他の側面は、上述の発明において、後方レンズ枠の内径側には、枠後面よりもカメラ本体側に向かって突出する内方突出部が設けられていて、不使用時には後方レンズ枠のうちカメラ本体側の枠後面が内部段差面に当接し、さらに内方突出部が小径筒部に入り込むことで、鏡筒側マウント部の内部側を閉塞する、ことが好ましい。
【００１５】
また、上記課題を解決するために、本発明の第２の観点によると、複数のレンズ素子から構成される撮影光学系を備えると共に、カメラ本体に対して着脱自在に取り付けられるレンズ鏡筒であって、内部に撮影光学系が設けられる筒体部と、筒体部と一体的に設けられ、筒体部よりも小径の小径筒部を有すると共に、該小径筒部の端部側にカメラ本体側に開口した鏡筒側開口部が存在する鏡筒側マウント部と、複数のレンズ素子のうちカメラ本体側に最も近接する後側レンズ素子およびこの後側レンズ素子を保持する後方レンズ枠を有し、筒体部の内部に設けられる後方レンズ体と、後方レンズ体を光軸方向に沿って移動させる駆動機構と、駆動機構の駆動を制御する制御手段と、を備え、小径筒部の内径は後方レンズ体の外径よりも小さく設けられていて、鏡筒側マウント部のうち小径筒部の周囲には、後方レンズ体が直接的または間接的に当接する内部段差面が設けられていて、制御手段は、閉塞タイミングが到来したと判断した場合には、駆動機構を駆動させて後方レンズ体が直接的または間接的に内部段差面に当接させることで、筒体部の内部が外部に対して連通しないように鏡筒側マウント部の内部側を閉塞する、ことを特徴とするレンズ鏡筒が提供される。
【００１６】
また、本発明の他の側面は、上述の発明において、焦点合わせのために後方レンズ体を移動させる範囲である焦点移動範囲において駆動機構を駆動させると共に、閉塞タイミングが到来したと判断した場合には、駆動機構の駆動により焦点移動範囲よりもカメラ本体側に後方レンズ体を移動させて後方レンズ体を直接的または間接的に内部段差面に当接させ、筒体部の内部が外部に対して連通しないように鏡筒側マウント部の内部側を閉塞する、ことが好ましい。
【００１７】
さらに、本発明の他の側面は、上述の発明において、制御手段は、カメラ本体の電源オフのタイミングを閉塞タイミングが到来したと判断する、ことが好ましい。
【００１８】
また、本発明の他の側面は、上述の発明において、制御手段は、カメラ本体とレンズ鏡筒の間の電気的な接続が切断されたことを検知したタイミングを閉塞タイミングが到来したと判断する、ことが好ましい。
【００１９】
さらに、本発明の他の側面は、上述の発明において、制御手段は、カメラ本体からレンズ鏡筒を取り外すためのリリースボタンを押下したタイミングを閉塞タイミングが到来したと判断する、ことが好ましい。
【００２０】
さらに、本発明の他の側面は、上述の各発明に係るレンズ鏡筒と、レンズ鏡筒が着脱自在に取り付けられる本体側マウント部を備えるカメラ本体と、を備えることを特徴とするレンズ交換式カメラが提供される。
【発明の効果】
【００２１】
本発明によると、追加の部品を大幅に低減させた状態で、レンズ鏡筒の開口を封止することが可能なレンズ鏡筒およびレンズ交換式カメラを提供することができる。
【図面の簡単な説明】
【００２２】
【図１】本発明の一実施の形態に係るレンズ鏡筒およびレンズ交換式カメラの構成を示す模式図である。
【図２】本発明の一実施の形態に係り、焦点合わせのために後方レンズ枠および後側レンズ素子を移動させる範囲である焦点移動範囲を示すと共に、レンズ交換式カメラの制御的な構成のイメージを示す図である。
【図３】第１構成例に係る防塵機構の構成を示す概略的な拡大図である。
【図４】第２構成例に係る防塵機構の構成を示す概略的な拡大図である。
【図５】第３構成例に係る防塵機構の構成を示す概略的な拡大図である。
【図６】第４構成例に係る防塵機構の構成を示す概略的な拡大図である。
【図７】第５構成例に係る防塵機構の構成を示す概略的な拡大図である。
【図８】第６構成例に係る防塵機構の構成を示す概略的な拡大図である。
【図９】本発明の変形例に係るレンズ鏡筒の構成を示す斜視図である。
【図１０】第１構成例の変形例に係る防塵機構の構成を示す概略的な拡大図である。
【図１１】第６構成例の変形例に係る防塵機構の構成を示す概略的な拡大図である。
【図１２】従来構成のレンズ鏡筒の内部に塵埃が侵入するイメージを示す図である。
【発明を実施するための形態】
【００２３】
以下、本発明の一実施の形態に係るレンズ鏡筒１０およびレンズ交換式カメラ１１について、図面に基づいて説明する。なお、以下の説明では、レンズ鏡筒１０の撮像光学系３０の光軸Ｌの延伸方向（Ｘ方向）において、被写体側を前側（Ｘ１側）、カメラ本体１００側を後側（Ｘ２側）とする。また、光軸Ｌに直交する方向（Ｙ方向）において、光軸Ｌに接近する方向を内側、光軸Ｌから離間する方向を外側とする。また、光軸Ｌを中心とする円周方向を周方向とする。
【００２４】
＜レンズ鏡筒１０およびレンズ交換式カメラ１１の基本構成について＞
以下、本発明の一実施の形態に係るレンズ鏡筒１０およびレンズ交換式カメラ１１の基本的な構成について、以下に説明する。図１は、本発明の一実施の形態に係るレンズ鏡筒１０およびレンズ交換式カメラ１１の構成を示す模式図である。
【００２５】
本実施の形態のレンズ鏡筒１０は、カメラ本体１００（本体に対応）に装着されることにより、レンズ交換式カメラ１１を構成する。このカメラ本体１００の内部には、撮像素子１１０が設けられている。この撮像素子１１０には、レンズ鏡筒１０の撮像光学系を介して被写体光が結像され、この撮像素子１１０で光電変換を行うことで、被写体光を電気信号に変換する。
【００２６】
また、カメラ本体１００には、レンズ鏡筒１０が取り付けられる本体側マウント部１２０が設けられていて、その本体側マウント部１２０には、本体側開口部１３０が形成されている。本体側開口部１３０は、レンズ鏡筒１０からの被写体光を撮像素子１１０に入射させるための開口部分である。その他、カメラ本体１００には、本体制御部１４０も存在している（図２参照）。本体制御部１４０は、レンズ交換式カメラ１１の全体的な作動を司る部分である。この本体制御部１４０は、ＣＰＵ（Central Processing Unit）、ＲＯＭ(Read Only Memory)、ＲＡＭ（Random Access Memory）、不揮発性メモリ等の外部メモリを備えるマイクロコンピュータから構成することができる。
【００２７】
また、レンズ鏡筒１０は、筒体部２０と、撮像光学系３０とを有している。筒体部２０は、筒状の筒体部分であり、撮像光学系３０を支持すると共に、外部から保護している。この筒体部２０は、複数の筒部材から構成されていても良い。複数の筒部材から筒体部２０が構成されている場合には、これらの筒部材間にカム溝やカムフォロワ等が設けられていて、それらカム溝、カムフォロワ間の係合によって筒部材同士が光軸Ｌ方向に進退する。それにより、撮像光学系３０間のレンズ素子間の距離が変動する。
【００２８】
なお、筒体部２０が複数の筒部材から構成される場合、焦点距離を一定の範囲で変化させることが可能なズーム機能を備える構成としても良いが、ズーム機能を備えない構成としても良い。
【００２９】
また、撮像光学系３０は、複数のレンズ素子を備えていて、その複数のレンズ素子を通過した被写体光を所定の倍率で撮像素子１１０に結像させることを可能としている。ここで、撮像光学系３０の少なくとも１つのレンズ素子は、最も前側（Ｘ１側）に位置していて、筒体部２０を前側（Ｘ１側）から封止可能となっている。以下の説明では、最も前側（Ｘ１側）に位置するレンズ素子を前側レンズ素子３１と称呼する。この前側レンズ素子３１は、前方レンズ枠４１に保持されており、その前方レンズ枠４１は、筒体部２０の前側（Ｘ１側）の内壁面に固定的に取り付けられている。
【００３０】
一方、撮像光学系３０の少なくとも１つのレンズ素子は、撮像素子１１０に被写体光を集光させて焦点を合わせるために、光軸Ｌに沿って移動可能となっている。たとえば、図１では、最も後側（Ｘ２側）のレンズ素子が、光軸Ｌに沿って移動可能となっている。しかしながら、撮像素子１１０の他のレンズ素子が移動可能となっていても良い。以下の説明では、光軸Ｌに沿って移動する後側のレンズ素子を後側レンズ素子３２と称呼する。
【００３１】
この後側レンズ素子３２は、その全ての領域が撮影に際して用いられる訳ではない。すなわち、後側レンズ素子３２には、撮影に際して被写体光が入射されると共に撮像素子１１０に向けて出射する使用領域３２１が設けられている。また、後側レンズ素子３２のうち使用領域３２１の外径側には、被写体光が入射されないか、または被写体光が入射されても撮像素子１１０に向けて被写体光を出射しない不使用領域３２２が設けられている。
【００３２】
なお、後側レンズ素子３２の不使用領域３２２側は、後方レンズ枠４２に取り付けられている。この後方レンズ枠４２は、後述するモータ６０の駆動によって、光軸Ｌに沿って移動する。
【００３３】
図２は、焦点合わせのために後方レンズ枠４２および後側レンズ素子３２を移動させる範囲である焦点移動範囲Ｍを示すと共に、レンズ交換式カメラ１１の制御的な構成のイメージを示す図である。図２に示すように、後側レンズ素子３２および後方レンズ枠４２は、所定の焦点移動範囲Ｍ内において、撮像素子１１０に対して被写体像を集光させて、焦点を合わせることが可能となっている。以下の説明においては、後側レンズ素子３２と後方レンズ枠４２は、一体的に移動することから、これらを合わせて後方レンズ体４０と称呼する。
【００３４】
一方、後方レンズ体４０は、上述した焦点移動範囲Ｍを超えて後側（Ｘ２側）に移動させることが可能である。そして、最も後側（Ｘ２側）に後方レンズ体４０が位置した状態では、防塵を図るための封止状態が実現可能となっている。
【００３５】
また、レンズ鏡筒１０には、カメラ本体１００に取り付けられる鏡筒側マウント部５０が設けられている。図１に示すように、鏡筒側マウント部５０は、筒体部２０よりも小径の筒状部分（小径筒部５３）を有している。これら筒体部２０と小径筒部５３の内径差により、鏡筒側マウント部５０には、後方レンズ枠４２と筒体部２０の内部で対向する内部段差面５１が存在している。また、鏡筒側マウント部５０は、カメラ本体１００と対向する外部段差部５２も有している。なお、小径筒部５３は、内部段差面５１および外部段差部５２よりも後側（Ｘ２側）に向かって突出しており、その突出によって小径筒部５３は、本体側開口部１３０に挿入される部分となっている。
【００３６】
また、小径筒部５３の後側（Ｘ２側）は、カメラ本体１００に対して閉塞されておらず、カメラ本体１００の内部と連通するように開口している。以下の説明では、この開口部分を鏡筒側開口部５４と称呼する。
【００３７】
なお、小径筒部５３の外周側からは、係合部５５が外径側に突出している。係合部５５は、本体側マウント部１２０に鏡筒側マウント部５０が取り付けられた場合に、鏡筒側マウント部５０が本体側マウント部１２０から外れるのを防止している。この係合部５５は、たとえばバヨネット式である。しかしながら、バヨネット式以外に、本体側マウント部１２０と鏡筒側マウント部５０のいずれか一方に雄ネジ部を形成すると共に、いずれか他方に雌ネジ部を形成したネジ式としても良く、その他の方式を採用しても良い。
【００３８】
後方レンズ体４０が移動するイメージを、図２に示す。図２に示すように、後方レンズ枠４２は、たとえばリードスクリューのような駆動伝達部材６１と、駆動力を伝達可能な状態（たとえばネジ的に噛み合った状態）で連結されている。駆動伝達部材６１は、モータ６０の駆動により回転させられ、その回転によって後方レンズ体４０が、光軸Ｌに沿って移動する。
【００３９】
なお、駆動伝達部材６１は、リードスクリューのような構成には限られない。たとえば、筒体部２０の筒部材に、光軸Ｌ方向の方向成分を有するカム溝を形成し、そのカム溝と後方レンズ枠４２とを係合させる。そして、モータ６０または手動によって、カム溝を有する筒部材を回転させることで、カム溝の斜面によって後方レンズ枠４２を光軸Ｌ方向に移動させる構成としても良い。
【００４０】
モータ６０は、たとえばステッピングモータや超音波モータ、ＤＣモータ等、各種のモータを用いることができる。また、圧電素子を用いたピエゾアクチュエータをモータ６０の概念に含めるようにしても良い。なお、モータ６０は、駆動機構に対応する。モータ６０は、レンズ制御部７０での制御に基づいて、その回転駆動が制御される。レンズ制御部７０は、ＣＰＵ（Central Processing Unit）、ＲＯＭ(Read Only Memory)、ＲＡＭ（Random Access Memory）、不揮発性メモリ等の外部メモリを備えるマイクロコンピュータから構成することができる。このレンズ制御部７０は、制御手段に対応する。
【００４１】
なお、レンズ制御部７０は、レンズ鏡筒１０内に存在していて、カメラ本体１００側の本体制御部１４０と電気的信号を送受信可能としている。そして、レンズ制御部７０は、本体制御部１４０からの電気的な信号の受信に基づいて、モータ６０の駆動を制御することができる。レンズ制御部７０は、本体制御部１４０からの電気的な信号の受信に基づかずに、モータ６０を制御するようにしても良い。なお、このレンズ制御部７０は、レンズ鏡筒１０に存在しているが、カメラ本体１００側に存在する構成を採用しても良い。
【００４２】
また、図２に示すように、レンズ制御部７０には、電源ボタン７１やリリースボタン７２と電気的に接続されている。そして、電源ボタン７１を押下して電源オフまたは電源オンとした場合には、電源オフまたは電源オンに関する電気的な信号がレンズ制御部７０に供給される。また、リリースボタン７２を押下してレンズ鏡筒１０がカメラ本体１００から外された場合には、その旨の電気的な信号がレンズ制御部７０に供給される。
【００４３】
また、レンズ鏡筒１０には、防塵機構８０が設けられている。防塵機構８０は、レンズ鏡筒１０の内部に、鏡筒側開口部５４から塵埃が侵入するのを防止するための機構である。防塵機構８０は、後側レンズ素子３２、後方レンズ枠４２、鏡筒側マウント部５０、駆動伝達部材６１およびモータ６０が主要な構成要素であるが、その他の構成要素が防塵機構８０を構成しても良いのは勿論である。以下の説明においては、この防塵機構８０の各構成例について説明する。
【００４４】
＜防塵機構の第１構成例＞
以下、本実施の形態における防塵機構８０の第１構成例について、以下に説明する。なお、第１構成例に係る防塵機構８０については、各部材を示す符号にアルファベット「Ａ」を付して説明することとする。
【００４５】
図３は、本実施の形態の第１構成例に係る防塵機構８０Ａの構成を示す概略的な拡大図である。第１構成例に係る防塵機構８０Ａは、後側レンズ素子３２Ａが内部段差面５１Ａに当接せずに、後方レンズ枠４２Ａの枠後面４２Ａ１が内部段差面５１Ａに対して、周方向の全周に亘って当接（度当たり）する構成となっている。なお、枠後面４２Ａ１とは、後方レンズ枠４２Ａのうち、後側（Ｘ２側）の面を指す。
【００４６】
この枠後面４２Ａ１の内部段差面５１Ａへの当接により鏡筒側開口部５４が内部側（Ｘ１側）から閉塞されて、レンズ鏡筒１０Ａの内部は、後方レンズ体４０Ａ（後方レンズ枠４２Ａおよび後側レンズ素子３２Ａ）によって、外部から封止される状態となる。したがって、レンズ鏡筒１０Ａをレンズ交換式カメラ１１から取り外した場合でも、塵埃がレンズ鏡筒１０Ａの内部に侵入するのを防止可能となっている。
【００４７】
ここで、枠後面４２Ａ１と内部段差面５１Ａの間の当接は、塵埃のレンズ鏡筒１０Ａの内部への侵入を防止可能であれば、どのような当接の態様であっても良い。たとえば、枠後面４２Ａ１と内部段差面５１Ａとが互いに当接する面の面精度が高い状態（たとえば防水の機能が果たせる程度に高い状態）で当接しても良く、塵埃の侵入が防止可能な程度に低い状態で当接しても良い。
【００４８】
かかる枠後面４２Ａ１の内部段差面５１Ａへの当接（度当たり）を実現するためには、レンズ制御部７０は、閉塞タイミングが到来したと判断した場合に、モータ６０を駆動させ、図２に示すような焦点移動範囲Ｍを超えて後方レンズ枠４２Ａの枠後面４２Ａ１が内部段差面５１Ａに当接するまで、後側レンズ素子３２Ａおよび後方レンズ枠４２Ａを移動させる。
【００４９】
この閉塞タイミングとは、たとえば電源ボタン７１を押下してレンズ交換式カメラ１１を電源オフにした場合としても良く、またレンズ交換式カメラ１１においてレンズ鏡筒１０Ａをカメラ本体１００から外す場合に押下するリリースボタン７２を押下したときとしても良い。また、レンズ交換式カメラ１１が電源オフにならなくても、所定の時間が経過して電力消費を抑える省エネルギモード（省エネモード）となったときを、閉塞タイミングとしても良い。さらに、モータ６０の駆動は可能であるものの、カメラ本体１００側からレンズ鏡筒１０Ａへの電気的な信号の供給が途絶えたときを閉塞タイミングとしても良い。さらに、カメラ本体１００とレンズ鏡筒１０Ａの間の電気的な接続が切断されたことをレンズ制御部７０が検知したタイミングを閉塞タイミングとしても良い。
【００５０】
このような第１構成例においては、枠後面４２Ａ１が内部段差面５１Ａに当接（度当たり）することで、レンズ鏡筒１０Ａの内部へ外部から塵埃が侵入するのを防止可能となる。
【００５１】
＜防塵機構の第２構成例＞
以下、本実施の形態における防塵機構８０の第２構成例について、以下に説明する。なお、第２構成例に係る防塵機構８０については、各部材を示す符号にアルファベット「Ｂ」を付して説明することとする。
【００５２】
図４は、本実施の形態の第２構成例に係る防塵機構８０Ｂの構成を示す概略的な拡大図である。第２構成例に係る防塵機構８０Ｂでは、後方レンズ枠４２Ｂの枠後面４２Ｂ１は、内部段差面５１Ｂには当接せず、後側レンズ素子３２Ｂの不使用領域３２２が内部段差面５１Ｂに対して、周方向の全周に亘って当接（度当たり）する構成となっている。ただし、後側レンズ素子３２Ｂが内部段差面５１Ｂに当接したときに、枠後面４２Ｂ１が内部段差面５１Ｂには当接する構成を採用しても良い。なお、後側レンズ素子３２Ｂは、内部段差面５１Ｂの縁部に当接することで、レンズ鏡筒１０Ｂの内部が、外部から封止される状態となる。したがって、レンズ鏡筒１０Ｂをレンズ交換式カメラ１１から取り外した場合でも、塵埃がレンズ鏡筒１０Ｂの内部に侵入するのを防止可能となっている。
【００５３】
なお、上述した第１構成例の場合と同様に、後側レンズ素子３２Ｂと内部段差面５１Ｂの間の当接の態様は、どのようなものであっても良い。
【００５４】
また、後側レンズ素子３２Ｂの内部段差面５１Ｂへの当接を実現するための、レンズ制御部７０でのモータ６０の制御についても、上述した第１構成例で説明した場合と同様のものとすることができる。
【００５５】
このような第２構成例においても、後側レンズ素子３２Ｂが内部段差面５１Ｂに当接（度当たり）することで、レンズ鏡筒１０Ｂの内部へ外部から塵埃が侵入するのを防止可能となる。
【００５６】
＜防塵機構の第３構成例＞
以下、本実施の形態における防塵機構８０の第３構成例について、以下に説明する。なお、第３構成例に係る防塵機構８０については、各部材を示す符号にアルファベット「Ｃ」を付して説明することとする。
【００５７】
図５は、本実施の形態の第３構成例に係る防塵機構８０Ｃの構成を示す概略的な拡大図である。第３構成例に係る防塵機構８０Ｃでは、内部段差面５１Ｃには封止凸部５６Ｃが設けられている。この封止凸部５６Ｃは、内部段差面５１Ｃの他の部分よりも前側（Ｘ１側）に突出している。そして、後方レンズ枠４２Ｃの枠後面４２Ｃ１は、封止凸部５６Ｃの突出側の面（Ｘ１側の面；凸端面５６Ｃ１とする）に対して、周方向の全周に亘って当接（度当たり）する構成となっている。
【００５８】
ここで、枠後面４２Ｃ１と凸端面５６Ｃ１の間の当接は、塵埃のレンズ鏡筒１０Ｃの内部への侵入を防止可能であれば、どのような当接の態様であっても良い。なお、第３構成例では、たとえば、内部段差面５１Ｃ全体の面精度を高くせずに、封止凸部５６Ｃの凸端面５６Ｃ１が平滑となるように面精度を高くすることで、面精度を高くするための加工時間およびコストを低減することができる。
【００５９】
この第３構成例の防塵機構８０Ｃでは、凸端面５６Ｃ１を平滑に形成する場合、枠後面４２Ｃ１と凸端面５６Ｃ１の間の密着性を高めることができる。それにより、レンズ鏡筒１０Ｃの内部への塵埃の侵入を一層確実に防止することができる。また、封止凸部５６Ｃを設けることにより、後側レンズ素子３２Ｃと内部段差面５１Ｃとの間に隙間を設けることができる。そのため、内部段差面５１Ｃに後側レンズ素子３２Ｃが接触するのを防止可能となる。それにより、後側レンズ素子３２Ｃに傷が生じるのを防止可能となり、後側レンズ素子３２Ｃの光学性能の劣化を防ぐことができる。さらに、封止凸部５６Ｃを設けることにより、後側レンズ素子３２Ｃおよび後方レンズ枠４２Ｃの後側（Ｘ２側）への移動距離を低減することができる。
【００６０】
＜防塵機構の第４構成例＞
以下、本実施の形態における防塵機構８０の第４構成例について、以下に説明する。なお、第４構成例に係る防塵機構８０については、各部材を示す符号にアルファベット「Ｄ」を付して説明することとする。
【００６１】
図６は、本実施の形態の第４構成例に係る防塵機構８０Ｄの構成を示す概略的な拡大図である。第４構成例に係る防塵機構８０Ｄでは、内部段差面５１Ｄには周方向の全周に亘るように封止凹部５７Ｄが設けられている。封止凹部５７Ｄは、内部段差面５１Ｄの他の部分よりも凹状に窪んだ部分である。
【００６２】
また、後方レンズ枠４２Ｄには、周方向の全周に亘るように突出部４２Ｄ１が設けられている。突出部４２Ｄ１は、後方レンズ枠４２Ｄからカメラ本体１００側（Ｘ２側）に突出した部分であり、封止凹部５７Ｄに入り込む部分である。かかる突出部４２Ｄ１の封止凹部５７Ｄへの入り込みにより、塵埃がレンズ鏡筒１０Ｄの内部に侵入するのを阻止可能となる。
【００６３】
ここで、突出部４２Ｄ１は、封止凹部５７Ｄに対して、光軸Ｌの延伸方向（Ｘ方向）とは直交する方向（Ｙ方向）に若干隙間を有する状態で入り込む。すなわち、後方レンズ枠４２Ｄを摺動させる部位においては、駆動伝達部材６１との間のガタ付きやその他の組み付け誤差、製造時の公差等の影響で、若干のガタ付きや寸法誤差が生じているのが通常である。したがって、突出部４２Ｄ１が封止凹部５７Ｄに対して、ほとんど隙間のない状態で入り込む構成とすると、上述した若干の位置ずれにより、突出部４２Ｄ１が封止凹部５７Ｄに入り込まずに、封止凹部５７Ｄの周囲の内部段差面５１Ｄに衝突する虞がある。したがって、封止凹部５７Ｄに突出部４２Ｄ１が入り込んだ場合でも、これらの間に若干の隙間が存在する状態となっている。
【００６４】
なお、第４構成例の防塵機構８０Ｄにおいては、封止凹部５７Ｄの底面５７Ｄ１は、平滑に設けることが可能であり、突出部４２Ｄ１の突出端面４２Ｄ２（後側の面；Ｘ２の面）も平滑に設けることが可能である。封止凹部５７Ｄの底面５７Ｄ１と、突出端面４２Ｄ２が平滑である場合、両者の密着性を高めることができる。それにより、レンズ鏡筒１０Ｄの内部への塵埃の侵入を一層確実に防止することができる。また、封止凹部５７Ｄに突出部４２Ｄ１が入り込むことにより、塵埃がレンズ鏡筒１０Ｄの内部に入り込むための経路が長くなり、その分だけ塵埃がレンズ鏡筒１０Ｄの内部に一層入り込み難くなる。
【００６５】
また、突出部４２Ｄ１の突出長さを、封止凹部５７Ｄの深さよりも長くすることが可能となる。突出部４２Ｄ１の突出長さを、封止凹部５７Ｄの深さよりも長くした場合、後方レンズ枠４２Ｄの突出部４２Ｄ１以外の部分が、内部段差面５１Ｄに衝突するのを防ぐことができる。したがって、後側レンズ素子３２Ｄに傷が生じるのを防止することが可能となり、後側レンズ素子３２Ｄの光学性能の劣化を防ぐことができる。
【００６６】
＜防塵機構の第５構成例＞
以下、本実施の形態における防塵機構８０の第５構成例について、以下に説明する。なお、第５構成例に係る防塵機構８０については、各部材を示す符号にアルファベット「Ｅ」を付して説明することとする。
【００６７】
図７は、本実施の形態の第５構成例に係る防塵機構８０Ｅの構成を示す概略的な拡大図である。第５構成例に係る防塵機構８０Ｅでは、内部段差面５１Ｅには周方向の全周に亘るように嵌込凹部５８Ｅが設けられている。この嵌込凹部５８Ｅには、リング状の封止部材９０Ｅが嵌め込まれる。封止部材９０Ｅは、たとえばＯリングのような弾性部材から形成されている。この封止部材９０Ｅには、後方レンズ枠４２Ｅの枠後面４２Ｅ１が、前側（Ｘ１側）から後側（Ｘ２側）に向かうような付勢力を与えられた状態で当接する。すると、封止部材９０Ｅは、若干弾性的に変形し、それによって枠後面４２Ｅ１と封止部材９０Ｅの間の密着性が高められる。
【００６８】
このように、第５構成例の防塵機構８０Ｅでは、枠後面４２Ｅ１と封止部材９０Ｅとの間の密着により、レンズ鏡筒１０Ｅの内部に塵埃が入り込むのを防止可能となる。また、封止部材９０Ｅは、弾性部材を材質としているので、封止部材９０Ｅに後方レンズ枠４２Ｅが衝突しても、その衝撃を緩和することが可能となる。
【００６９】
＜防塵機構の第６構成例＞
以下、本実施の形態における防塵機構８０の第６構成例について、以下に説明する。なお、第６構成例に係る防塵機構８０については、各部材を示す符号にアルファベット「Ｆ」を付して説明することとする。
【００７０】
図８は、本実施の形態の第６構成例に係る防塵機構８０Ｆの構成を示す概略的な拡大図である。第６構成例に係る防塵機構８０Ｆでは、第１構成例の防塵機構８０Ａと同様に、後方レンズ枠４２Ｆの内部段差面５１Ｆへ当接（度当たり）する。しかしながら、後方レンズ枠４２Ｆの形状は、第１構成例に係る後方レンズ枠４２Ａの形状とは異なっている。具体的には、後方レンズ枠４２Ｆの内径側には、枠後面４２Ｆ１よりも後側（Ｘ２側）に向かって突出する内方突出部４２Ｆ３が設けられている。内方突出部４２Ｆ３は、後方レンズ枠４２Ｆの周方向の全周に亘るように設けられている。
【００７１】
ここで、後方レンズ枠４２Ｆの枠後面４２Ｆ１は、内部段差面５１Ｆに当接する。一方、内方突出部４２Ｆ３は、内部段差面５１Ｆよりも後側（Ｘ２側）に位置するように鏡筒側開口部５４Ｆ内に入り込む。この入り込みでは、上述した突出部４２Ｄ１の封止凹部５７Ｄに対する入り込みと同様に、内方突出部４２Ｆ３が鏡筒側開口部５４Ｆの内周壁５４Ｆ１に対して、若干隙間を有する状態で入り込む。それにより、後方レンズ枠４２Ｆを摺動させる部位においては、駆動伝達部材６１と後方レンズ枠４２Ｆの間のガタ付きや、その他の組み付け誤差、製造時の公差等の影響で、若干のガタ付きや寸法誤差を吸収可能となる。
【００７２】
このように、第６構成例の防塵機構８０Ｆでは、内方突出部４２Ｆ３の小径筒部５３Ｆへの入り込みにより、塵埃がレンズ鏡筒１０Ｆの内部に侵入するのを一層確実に防止可能となる。また、後方レンズ枠４２Ｆの厚み（Ｘ方向の寸法）を小さくしても、内方突出部４２Ｆ３が後方レンズ枠４２Ｆに存在することによって、後方レンズ枠４２Ｆの強度を確保することが可能となる。そのため、後方レンズ枠４２Ｆの薄型化が可能となり、それによって後側レンズ素子３２Ｆが移動可能な範囲を大きくすることができる。このように、後側レンズ素子３２Ｆの移動範囲を大きくすることで、光学的な設計の自由度を向上させることができる。
【００７３】
＜効果について＞
以上のような本実施の形態の第１構成例から第６構成例のレンズ鏡筒１０は、複数のレンズ素子から構成される撮像光学系３０を備えると共に、カメラ本体１００に対して着脱自在に取り付けられるレンズ鏡筒１０であって、内部に撮像光学系３０が設けられる筒体部２０と、筒体部２０と一体的に設けられ、筒体部２０よりも小径の小径筒部５３を有すると共に、小径筒部５３の端部側にカメラ本体１００側に開口した鏡筒側開口部５４が存在する鏡筒側マウント部５０と、複数のレンズ素子のうちカメラ本体１００側に最も近接する後側レンズ素子３２およびこの後側レンズ素子３２を保持する後方レンズ枠４２を有し、筒体部２０の内部に設けられると共に、不使用時には筒体部２０の内部が外部に対して連通しないように鏡筒側マウント部５０の内部側を閉塞する後方レンズ体４０と、後方レンズ体４０を光軸Ｌ方向に沿って移動させる駆動機構（モータ６０）と、を備え、小径筒部５３の内径は後方レンズ体４０の外径よりも小さく設けられていて、鏡筒側マウント部５０のうち小径筒部５３の周囲には、後方レンズ体４０が直接的または間接的に当接する内部段差面５１が設けられている。
【００７４】
このように、小径筒部５３の内径は、後方レンズ体４０の外径よりも小さく設けられていると共に、鏡筒側マウント部５０のうち小径筒部５３の周囲には、後方レンズ体４０が直接的または間接的に当接する内部段差面５１が設けられている。そのため、駆動機構（モータ６０）による後方レンズ体４０の移動により、レンズ鏡筒１０の不使用時には、後方レンズ体４０によって小径筒部５３の端部側（Ｘ１側）を塞ぐことができる（鏡筒側マウント部５０の内部側（Ｘ１側）を閉塞することができる）。したがって、追加の部品を大幅に低減させた状態で、レンズ鏡筒１０の開口封止が可能となる。それにより、レンズ鏡筒１０の内部に塵埃が侵入するのを防止可能となる。
【００７５】
また、本実施の形態の第１構成例では、不使用時には後方レンズ体４０Ａのうちカメラ本体１００側の枠後面４２Ａ１が内部段差面５１Ａに当接することで、鏡筒側マウント部５０Ａの内部側を閉塞することができる。
【００７６】
この構成の場合、枠後面４２Ａ１が内部段差面５１Ａに当接するので、後側レンズ素子３２Ａが内部段差面５１Ａに当接せずに済む。それにより、後側レンズ素子３２Ａに傷が生じるのを防止可能となり、後側レンズ素子３２Ａの光学性能の劣化を防ぐことができる。
【００７７】
さらに、本実施の形態の第２構成例では、不使用時には後側レンズ素子３２Ｂが内部段差面５１Ｂに当接することで、鏡筒側マウント部５０Ｂの内部側を閉塞することができる。
【００７８】
この構成の場合、後側レンズ素子３２Ｂが内部段差面５１Ｂに当接（度当たり）することで、レンズ鏡筒１０Ｂの内部へ外部から塵埃が侵入するのを防止可能となる。したがって、内径が小さな小径筒部５３Ｂにおいても、後側レンズ素子３２Ｂの内径を変更せずに済む。また、後側レンズ素子３２Ｂのうち、内部段差面５１Ｂに当接（度当たり）させる箇所を不使用領域３２２とすることにより、後側レンズ素子３２Ｂのレンズ面を直接的に他の部材と当接させたとしても、撮影に影響を与えるような光学性能への影響が生じさせないことが可能となる。
【００７９】
また、本実施の形態の第３構成例では、内部段差面５１Ｃには、カメラ本体１００側から離間する向きに向かって突出する封止凸部５６Ｃが設けられていて、不使用時には後方レンズ枠４２Ｃのうちカメラ本体１００側の枠後面４２Ｃ１が封止凸部５６Ｃの突出側の端面である凸端面５６Ｃ１に当接することで、鏡筒側マウント部５０Ｃの内部側を閉塞することができる。
【００８０】
この構成の場合、凸端面５６Ｃ１を平滑に形成することで、枠後面４２Ｃ１と凸端面５６Ｃ１の間の密着性を高めることができる。それにより、レンズ鏡筒１０Ｃの内部への塵埃の侵入を一層確実に防止することができる。また、封止凸部５６Ｃを設けることにより、後側レンズ素子３２Ｃと内部段差面５１Ｃとの間に隙間を設けることができる。そのため、内部段差面５１Ｃに後側レンズ素子３２Ｃが接触するのを防止可能となる。それにより、後側レンズ素子３２Ｃに傷が生じるのを防止可能となり、後側レンズ素子３２Ｃの光学性能の劣化を防ぐことができる。さらに、封止凸部５６Ｃを設けることにより、後側レンズ素子３２Ｃおよび後方レンズ枠４２Ｃの後側（Ｘ２側）への移動距離を低減することができる。
【００８１】
さらに、本実施の形態の第４構成例では、内部段差面５１Ｄには、カメラ本体１００側に向かって窪む封止凹部５７Ｄが設けられていて、後方レンズ枠４２Ｄには、カメラ本体１００側に向かって突出する突出部４２Ｄ１が設けられていて、不使用時には突出部４２Ｄ１が封止凹部５７Ｄに入り込むことで、鏡筒側マウント部５０Ｄの内部側を閉塞することができる。
【００８２】
この構成の場合、封止凹部５７Ｄの底面５７Ｄ１は、平滑に設けることが可能であり、突出部４２Ｄ１の突出端面４２Ｄ２（後側の面；Ｘ２の面）も平滑に設けることが可能である。その場合、両者の密着性を高めることができる。それにより、レンズ鏡筒１０Ｄの内部への塵埃の侵入を一層確実に防止することができる。また、封止凹部５７Ｄに突出部４２Ｄ１が入り込むことにより、塵埃がレンズ鏡筒１０Ｄの内部に入り込むための経路が長くなり、その分だけ塵埃がレンズ鏡筒１０Ｄの内部に一層入り込み難くなる。
【００８３】
また、本実施の形態の第５構成例では、内部段差面５１Ｅには、カメラ本体１００側に向かって窪む嵌込凹部５８Ｅが設けられていて、嵌込凹部５８Ｅには、弾性部材から形成される封止部材９０Ｅが嵌め込まれ、不使用時には後方レンズ枠４２Ｅのうちカメラ本体１００側の枠後面４２Ｅ１が封止部材９０Ｅに当接することで、鏡筒側マウント部５０Ｅの内部側を閉塞することができる。
【００８４】
この構成の場合、枠後面４２Ｅ１と封止部材９０Ｅとの間の密着により、レンズ鏡筒１０Ｅの内部に塵埃が入り込むのを防止可能となる。また、封止部材９０Ｅは、弾性部材を材質としているので、封止部材９０Ｅに後方レンズ枠４２Ｅが衝突しても、その衝撃を緩和することが可能となる。
【００８５】
さらに、本実施の形態の第６構成例では、後方レンズ枠４２Ｆの内径側には、枠後面４２Ｆ１よりもカメラ本体１００側に向かって突出する内方突出部４２Ｆ３が設けられていて、不使用時には後方レンズ枠４２Ｆのうちカメラ本体１００側の枠後面４２Ｆ１が内部段差面５１Ｆに当接し、さらに内方突出部４２Ｆ３が小径筒部５３Ｆに入り込むことで、鏡筒側マウント部５０Ｆの内部側を閉塞することができる。
【００８６】
この構成の場合、内方突出部４２Ｆ３の小径筒部５３Ｆへの入り込みにより、塵埃がレンズ鏡筒１０Ｆの内部に侵入するのを一層確実に防止可能となる。また、後方レンズ枠４２Ｆの厚み（Ｘ方向の寸法）を小さくしても、内方突出部４２Ｆ３が後方レンズ枠４２Ｆに存在することによって、後方レンズ枠４２Ｆの強度を確保することが可能となる。そのため、後方レンズ枠４２Ｆの薄型化が可能となり、それによって後側レンズ素子３２Ｆが移動可能な範囲を大きくすることができる。このように、後側レンズ素子３２Ｆの移動範囲を大きくすることで、光学的な設計の自由度を向上させることができる。
【００８７】
また、本実施の形態の第１構成例から第６構成例のレンズ鏡筒１０は、複数のレンズ素子から構成される撮像光学系３０を備えると共に、カメラ本体１００に対して着脱自在に取り付けられるレンズ鏡筒１０であって、内部に撮像光学系３０が設けられる筒体部２０と、筒体部２０と一体的に設けられ、筒体部２０よりも小径の小径筒部５３を有すると共に、小径筒部５３の端部側にカメラ本体１００側に開口した鏡筒側開口部５４が存在する鏡筒側マウント部５０と、複数のレンズ素子のうちカメラ本体１００側に最も近接する後側レンズ素子３２およびこの後側レンズ素子３２を保持する後方レンズ枠４２を有し、筒体部２０の内部に設けられる後方レンズ体４０と、後方レンズ体４０を光軸Ｌ方向に沿って移動させる駆動機構（モータ６０）と、駆動機構（モータ６０）の駆動を制御する制御手段（レンズ制御部７０）と、を備え、小径筒部５３の内径は後方レンズ体４０の外径よりも小さく設けられていて、鏡筒側マウント部５０のうち小径筒部５３の周囲には、後方レンズ体４０が直接的または間接的に当接する内部段差面５１が設けられていて、制御手段（レンズ制御部７０）は、閉塞タイミングが到来したと判断した場合には、駆動機構（モータ６０）を駆動させて後方レンズ体４０が直接的または間接的に内部段差面５１に当接させることで、筒体部２０の内部が外部に対して連通しないように鏡筒側マウント部５０の内部側を閉塞する。
【００８８】
このように、制御手段（レンズ制御部７０）は、閉塞タイミングが到来したと判断した場合には、駆動機構（モータ６０）を駆動させ、後方レンズ体４０が直接的または間接的に内部段差面５１に当接させている。それにより、筒体部２０の内部が外部に対して連通しないように鏡筒側マウント部５０の内部側が閉塞される。また、小径筒部５３の内径は、後方レンズ体４０の外径よりも小さく設けられている。したがって、閉塞タイミングが到来したと制御手段（レンズ制御部７０）が判断したとき、後方レンズ体４０によって小径筒部５３の端部側（Ｘ１側）を塞ぐことができる。したがって、追加の部品を大幅に低減させた状態で、レンズ鏡筒の開口封止が可能となる。それにより、レンズ鏡筒１０の内部に塵埃が侵入するのを防止可能となる。
【００８９】
さらに、本実施の形態の第１構成例から第６構成例のレンズ鏡筒１０は、焦点合わせのために後方レンズ体４０を移動させる範囲である焦点移動範囲Ｍにおいて駆動機構（モータ６０）を駆動させると共に、閉塞タイミングが到来したと判断した場合には、駆動機構（モータ６０）の駆動により焦点移動範囲Ｍよりもカメラ本体１００側に後方レンズ体４０を移動させて後方レンズ体４０が直接的または間接的に内部段差面５１に当接させ、筒体部２０の内部が外部に対して連通しないように鏡筒側マウント部５０の内部側を閉塞することができる。
【００９０】
このように、閉塞タイミングが到来したと判断した場合には、駆動機構（モータ６０）の駆動により焦点移動範囲Ｍよりもカメラ本体１００側に後方レンズ体４０を移動させることで、後方レンズ体４０を直接的または間接的に内部段差面５１に当接させる。したがって、筒体部２０の内部が外部に対して連通しないように鏡筒側マウント部５０の内部側を閉塞することができ、それによってレンズ鏡筒１０の内部に塵埃が侵入するのを防止可能となる。
【００９１】
さらに、本実施の形態の第１構成例から第６構成例のレンズ鏡筒１０においては、制御手段（レンズ制御部７０）は、カメラ本体１００の電源オフのタイミングを閉塞タイミングが到来したと判断することができる。
【００９２】
このように、カメラ本体１００の電源オフのタイミングを閉塞タイミングが到来したと制御手段（レンズ制御部７０）が判断することで、電源オフの際には、レンズ鏡筒１０の内部が後方レンズ体４０で閉塞された状態とすることができる。したがって、電源オフ後に、カメラ本体１００からレンズ鏡筒１０を取り外しても、レンズ鏡筒１０の内部に塵埃が侵入するのを防止することができる。
【００９３】
また、本実施の形態の第１構成例から第６構成例のレンズ鏡筒１０においては、制御手段（レンズ制御部７０）は、カメラ本体１００とレンズ鏡筒１０の間の電気的な接続が切断されたことを検知したタイミングを閉塞タイミングが到来したと判断することができる。
【００９４】
このように、カメラ本体１００とレンズ鏡筒１０の間の電気的な接続が切断されたことを検知したタイミングを閉塞タイミングが到来したと制御手段（レンズ制御部７０）が判断することで、カメラ本体１００から何らかの原因（たとえば、レンズ交換式カメラ１１の落下や強制的な取り外し等）でレンズ鏡筒１０が外された際に、レンズ鏡筒１０の内部が後方レンズ体４０で閉塞された状態とすることができ、レンズ鏡筒１０の内部に塵埃が侵入するのを防止することができる。
【００９５】
さらに、本実施の形態の第１構成例から第６構成例のレンズ鏡筒１０においては、制御手段（レンズ制御部７０）は、カメラ本体１００からレンズ鏡筒１０を取り外すためのリリースボタン７２を押下したタイミングを閉塞タイミングが到来したと判断することができる。
【００９６】
このように、リリースボタン７２を押下したタイミングを閉塞タイミングが到来したと制御手段（レンズ制御部７０）が判断することで、レンズ鏡筒１０をカメラ本体１００から取り外しても、レンズ鏡筒１０の内部に塵埃が侵入するのを確実に防止することができる。
【００９７】
さらに、本実施の形態のレンズ交換式カメラ１１は、レンズ鏡筒１０と、レンズ鏡筒１０が着脱自在に取り付けられる本体側マウント部１２０を備えるカメラ本体１００と、を備えている。したがって、追加の部品を大幅に低減させた状態で、レンズ鏡筒１０の開口封止が可能となる。それにより、レンズ鏡筒１０の内部に塵埃が侵入するのを防止可能となる。
【００９８】
＜変形例＞
以上、本発明の一実施の形態について説明したが、本発明はこれ以外にも種々変形可能となっている。以下、それについて述べる。
【００９９】
上述の実施の形態においては、モータ６０の駆動によって、後方レンズ体４０を移動させる構成としている。しかしながら、後方レンズ体４０は、モータ６０の駆動によらずに、移動させる構成を採用しても良い。図９に、そのような構成の一例を示す。図９は、本発明の変形例に係るレンズ鏡筒１０Ｇの構成を示す斜視図である。図９に示す構成では、筒体部２０Ｇには、長孔状のスリット２１Ｇが形成されていて、そのスリット２１Ｇには摺動ツマミ２２Ｇが挿通されている。摺動ツマミ２２Ｇの一端側は、スリット２１Ｇから外部に露出していて、ユーザの指等の摺動に伴い、長孔状のスリット２１Ｇに沿って摺動可能となっている。
【０１００】
一方、摺動ツマミ２２Ｇの他端側は、図示を省略する後方レンズ体４０に直接的または他の部材を介して間接的に連結されている。そして、長孔状のスリット２１Ｇの後側（Ｘ２側）に摺動ツマミ２２Ｇを位置させたときに、後方レンズ体４０は焦点移動範囲Ｍを超えて後側（Ｘ２側）に移動する。それによって、防塵を図るための封止状態が実現可能となり、レンズ鏡筒１０の開口封止が可能となる。このため、レンズ鏡筒１０Ｇの内部に塵埃が侵入するのを防止可能となる。
【０１０１】
なお、モータ６０の駆動による後側レンズ素子３２の焦点合わせの支障とならないよう、必要なときだけ後方レンズ体４０と摺動ツマミ２２Ｇとが連結する構成とすることが好ましい。たとえば、摺動ツマミ２２Ｇは、一度押したときに筒体部２０Ｇの内部に深く押し込まれるが、再び押すと筒体部２０Ｇへの深い押し込み状態が解除されるものとすることができる。
【０１０２】
この場合、摺動ツマミ２２Ｇを押して筒体部２０Ｇの内部に深く押し込まれたときに、摺動ツマミ２２Ｇの他端側のうち後側（Ｘ２側）の面が、後方レンズ体４０の後方レンズ枠４２の前側（Ｘ１側）の面と係合したり、後方レンズ枠４２のいずれかの部位に摺動ツマミ２２Ｇが嵌まり込む等の構成により、摺動ツマミ２２Ｇの他端側と後方レンズ体４０の連結状態が実現されるものとしても良い。
【０１０３】
また、摺動ツマミ２２Ｇの他端側に磁石を配置すると共に、後方レンズ枠４２にも磁石を配置し、それらの間の磁気吸引によって摺動ツマミ２２Ｇの他端側と後方レンズ体４０とが連結されるものとしても良い。この場合、後方レンズ体４０が磁気吸引力を超える力をモータ６０から受けることで、摺動ツマミ２２Ｇの他端側の磁石から離れるように構成することができる。
【０１０４】
また、後方レンズ体４０の後方レンズ枠４２や内部段差面５１に、テーパ面を備える構成としても良い。このような構成例を、図１０に示す。図１０は、第１構成例の変形例に係る防塵機構８０Ｈの構成を示す概略的な拡大図である。図１０に示す防塵機構８０Ｈでは、内部段差面５１Ｈがテーパ状に設けられている。また、後方レンズ枠４２Ｈには枠テーパ面４２Ｈ４が存在している。したがって、後方レンズ体４０Ｈが後側（Ｘ２側）に移動すると、後方レンズ枠４２Ｈの直径が縮む向きの力をテーパ状の内部段差面５１Ｈから受けながら、枠テーパ面４２Ｈ４が内部段差面５１Ｈに当接する。このため、枠テーパ面４２Ｈ４とテーパ状の内部段差面５１Ｈの密着性を高めることができる。
【０１０５】
なお、図１０に示す構成では、テーパ状の内部段差面５１Ｈを設ける一方、後方レンズ枠４２Ｈに枠テーパ面４２Ｈ４を設けない構成を採用しても良い。たとえば、後方レンズ枠４２Ｈは、図３に示す後方レンズ枠４２Ａと同様の形状としても良い。すなわち、内部段差面５１Ｈのいずれかの部分のみに、テーパ面を設ける構成を採用しても良い。
【０１０６】
また、後方レンズ枠４２Ｈの断面のうち、テーパ状の内部段差面５１Ｈと接触する部分が、円弧を含む曲面状に形成されても良い。このようにしても、後方レンズ枠４２Ｈの直径が縮む向きの力をテーパ状の内部段差面５１Ｈから受けながら、４２Ｄ１枠テーパ面４２Ｈ４が内部段差面５１Ｈに当接する。このため、枠テーパ面４２Ｈ４とテーパ状の内部段差面５１Ｈの密着性を高めることができる。
【０１０７】
また、後方レンズ体４０の後方レンズ枠４２や内部段差面５１が、テーパ面を備えるものとしては、たとえば図１１に示すような構成とすることができる。図１１は、第６構成例の変形例に係る防塵機構８０Ｉの構成を示す概略的な拡大図である。図１１においては、内部段差面５１Ｉの内径側の角部に、内部テーパ面５１Ｉ１が設けられている。また、枠後面４２Ｉ１と内方突出部４２Ｉ３の間には、枠テーパ面４２Ｉ４が設けられている。そして、後方レンズ体４０Ｉが後側（Ｘ２側）に移動すると、内部テーパ面５１Ｉ１に枠後面４２Ｉ１が当接する。このとき、枠後面４２Ｉ１と内部段差面５１とが当接しても良く、当接しなくても良い。
【０１０８】
このような図１１に示す防塵機構８０Ｉでも、上述した図１０に示す構成と同様に、枠テーパ面４２Ｉ４と内部テーパ面５１Ｉ１の密着性を高めることができる。ここで、図１１に示す構成では、内部テーパ面５１Ｉ１を設ける一方、後方レンズ枠４２Ｉに枠テーパ面４２Ｉ４を設けない構成を採用しても良い。たとえば、後方レンズ枠４２Ｉは、図９に示す後方レンズ枠４２Ｆと同様の形状としても良い。すなわち、内部段差面５１Ｉの内周側の端部のみに、テーパ面を設ける構成を採用しても良い。
【０１０９】
なお、第１構成例および第６構成例のみならず、他の第２〜第５構成例に係るレンズ鏡筒１０Ｂ〜１０Ｅについても、少なくとも内部段差面５１Ｂ〜５１Ｅのいずれかの部位にテーパ面を設ける構成を採用しても良いのは勿論である。
【０１１０】
また、上述の実施の形態では、一眼レフカメラ（ミラーレス一眼カメラを含む）のようなカメラ本体に取り付け可能なレンズ鏡筒について説明している。しかしながら、レンズ鏡筒がカメラ本体以外の本体に取り付け可能であれば、どのような構成にも用いることが可能である。たとえば、顕微鏡、望遠鏡、ビデオカメラ、プロジェクター、医療機器等、種々の機器に本発明のレンズ鏡筒を用いることができる。
【符号の説明】
【０１１１】
１０，１０Ａ〜１０Ｉ…レンズ鏡筒、１１…レンズ交換式カメラ、２０Ａ〜２０Ｉ…筒体部、２１Ｇ…スリット、２２Ｇ…摺動ツマミ、３０…撮像光学系、３１…前側レンズ素子、３２，３２Ａ〜３２Ｆ，３２Ｈ，３２Ｉ…後側レンズ素子、４０，４０Ａ〜４０Ｆ，４０Ｈ，４０Ｉ…後方レンズ体、４１…前方レンズ枠、４２，４２Ａ〜４２Ｆ，４２Ｈ，４２Ｉ…後方レンズ枠、４２Ａ１〜４２Ｆ１，４２Ｈ，４２Ｉ…枠後面、４２Ｄ１…突出部、４２Ｄ２…突出端面、４２Ｆ３…内方突出部、４２Ｈ４，４２Ｉ４…枠テーパ面、５０…鏡筒側マウント部、５１，５１Ａ〜５１Ｆ，５１Ｈ，５１Ｉ…内部段差面、５１Ｉ１…内部テーパ面、５２…外部段差部、５３…小径筒部、５４，５４Ａ〜５４Ｆ，５４Ｈ，５４Ｉ…鏡筒側開口部、５５…係合部、５６Ｃ…封止凸部、５６Ｃ１…凸端面、５７Ｄ…封止凹部、６０…モータ（駆動機構）、６１…駆動伝達部材、７０…レンズ制御部（制御手段に対応）、８０，８０Ａ〜８０Ｆ，８０Ｈ，８０Ｉ…防塵機構、９０Ｅ…封止部材、１００…カメラ本体（本体）、１１０…撮像素子、１２０…本体側マウント部、１３０…本体側開口部、１４０…本体制御部、３２１…使用領域、３２２…不使用領域、Ｌ…光軸、Ｍ…焦点移動範囲
【図１】
2018185474.tif 000003
【図２】
2018185474.tif 000004
【図３】
2018185474.tif 000005
【図４】
2018185474.tif 000006
【図５】
2018185474.tif 000007
【図６】
2018185474.tif 000008
【図７】
2018185474.tif 000009
【図８】
2018185474.tif 000010
【図９】
2018185474.tif 000011
【図１０】
2018185474.tif 000012
【図１１】
2018185474.tif 000013
【図１２】
2018185474.tif 000014